(57)【要約】【目的】モニターの設置角度の自由度が高いモニタースタンドを提供する。【構成】モニタースタンド１は、被取付け面に取付けられる基部３と、水平な回動軸11を中心に基部に取付けられるモニター100 の保持部４を有する。ロック部材24は、回動軸と同軸で基部と保持部に連続して形成された案内孔23に係合構造で軸方向に移動自在に噛み合い、常時ばね25で非連結方向に付勢されるが、レバー26の操作で基部と保持部がロック部材を介して一体化し、保持部の回動がロックされる。モニターの傾斜角度の調整が簡単で、レバーにより機械的な構造で確実に固定できる。ロック機構を解除してモニターを倒せば、ガイド部材12は本体５の上面の凹部６に入るので、モニターは水平になり、視界が良好になる。【選択図】図３
2005075175.tif 000002
【特許請求の範囲】
【請求項１】
被取付け面に取付けられる基部と、前記基部に回動可能に取付けられてモニターを保持する保持部とを備えたモニタースタンドにおいて、
前記基部と前記保持部の間には所望の回動角度を保持しうる摩擦が生じるように構成された回動軸が水平に配置されており、
レバーの操作によって係合部材を移動させて前記基部と前記保持部に係合させることにより、前記基部に対する前記保持部の回動を抑止するロック機構を設けたことを特徴とするモニタースタンド。
【請求項２】
前記ロック機構は、
前記回動軸と軸芯を一致させて前記基部と前記保持部に連続して形成され、その内周面には前記回動軸の軸芯と平行な係合構造が形成された案内孔と、
その外周面に前記係合構造と係合する係合構造が形成され、前記案内孔内に配置されて摺動するロック部材と、
前記ロック部材が前記基部に形成された前記案内孔の前記係合構造にのみ係合するように前記ロック部材を押圧する付勢手段と、
前記基部に設けられ、操作時には前記付勢手段の付勢力に抗して前記ロック部材を移動させることにより、前記基部に形成された前記案内孔及び前記保持部に形成された前記案内孔の前記各係合構造に前記ロック部材を係合させて前記基部に対して前記保持部をロックする操作部と、
を有することを特徴とする請求項１記載のモニタースタンド。
【請求項３】
前記基部は上面に凹部が設けられた箱型の本体を有しており、前記回動軸及びロック機構は前記本体の前面に設けられており、前記保持部を前記凹部内に収納することによって前記保持部に保持されたモニターが前記本体の上面に水平に倒置されることを特徴とする請求項２記載のモニタースタンド。
【請求項４】
前記基部は、前記被取付け面に対して固定される基板に対して垂直な回転軸を中心として回動自在に取付けられていることを特徴とする請求項１乃至３記載のモニタースタンド。
【請求項５】
前記基部と前記基板の間には摩擦部材が設けられていることを特徴とする請求項４記載のモニタースタンド。
【請求項６】
被取付け面に取付けられる基部と、前記基部に回動可能に取付けられてモニターを保持する保持部とを備えたモニタースタンドにおいて、
前記基部は上面に凹部が設けられた箱型の本体を有しており、
前記基部の前面と前記保持部の間には所望の回動角度を保持しうる摩擦が生じるように構成された回動軸が水平に配置されており、
前記保持部を前記凹部内に収納することによって前記保持部に保持されたモニターが前記本体の上面に水平に倒置されることを特徴とするモニタースタンド。
【発明の詳細な説明】
【技術分野】
【０００１】
本発明は、車載用のモニタースタンドに係り、特にダッシュボードに取付けたモニターを視界確保のために必要に応じて水平に倒置する等、モニターの設置角度の自由度が高いモニタースタンドに関するものである。
【背景技術】
【０００２】
カーナビゲーションシステムの表示部等として、液晶表示装置等からなる薄型のモニターを運転席前のダッシュボード上に設置する場合がある。下記特許文献１は、このような用途に適用しうる車載用モニタースタンド装置に係り、この装置は、ダッシュボード上に固定されるポール状のスタンド部材の上端に、ジョイントを介して他のポールを取付け、この他方のポールの先端に液晶モニターを取付けたものである。
【０００３】
【特許文献１】特開２００２−０１２０９０号公報
【発明の開示】
【発明が解決しようとする課題】
【０００４】
しかしながら、特許文献１に開示されたモニタースタンドでは、ジョイントで連結した２本のポールの先端にモニターがあるので、ジョイントの屈曲に適当な固さを持たせてモニターを所望の姿勢に調整することは難しく、モニターの設置角度の自由度が低いという問題があった。特に、運転手が背が低く運転席に着席した場合に前方の視界に不安がある場合は、ダッシュボード上のモニターをダッシュボード上に平らに倒置したいところであるが、連結したポールでモニターを支える上記構造ではそのようなモニターの平置きは不可能である。
【０００５】
そこで、本発明は、ダッシュボードに取付けたモニターを視界確保のために必要に応じて水平に倒置する等、モニターの設置角度の自由度が高いモニタースタンドを提供することを目的としている。
【課題を解決するための手段】
【０００６】
請求項１に記載されたモニタースタンドは、
被取付け面に取付けられる基部と、前記基部に回動可能に取付けられてモニターを保持する保持部とを備えたモニタースタンドにおいて、
前記基部と前記保持部の間には所望の回動角度を保持しうる摩擦が生じるように構成された回動軸が水平に配置されており、
レバーの操作によって係合部材を移動させて前記基部と前記保持部に係合させることにより、前記基部に対する前記保持部の回動を抑止するロック機構を設けたことを特徴としている。
【０００７】
請求項２に記載されたモニタースタンドは、請求項１記載のモニタースタンドにおいて、
前記ロック機構が、
前記回動軸と軸芯を一致させて前記基部と前記保持部に連続して形成され、その内周面には前記回動軸の軸芯と平行な係合構造が形成された案内孔と、
その外周面に前記係合構造と係合する係合構造が形成され、前記案内孔内に配置されて摺動するロック部材と、
前記ロック部材が前記基部に形成された前記案内孔の前記係合構造にのみ係合するように前記ロック部材を押圧する付勢手段と、
前記基部に設けられ、操作時には前記付勢手段の付勢力に抗して前記ロック部材を移動させることにより、前記基部に形成された前記案内孔及び前記保持部に形成された前記案内孔の前記各係合構造に前記ロック部材を係合させて前記基部に対して前記保持部をロックする操作部と、
を有することを特徴としている。
【０００８】
請求項３に記載されたモニタースタンドは、請求項２記載のモニタースタンドにおいて、前記基部が上面に凹部が設けられた箱型の本体を有しており、前記回動軸及びロック機構が前記本体の前面に設けられており、前記保持部を前記凹部内に収納することによって前記保持部に保持されたモニターが前記本体の上面に水平に倒置されることを特徴としている。
【０００９】
請求項４に記載されたモニタースタンドは、請求項１乃至３記載のモニタースタンドにおいて、前記基部が、前記被取付け面に対して固定される基板に対して垂直な回転軸を中心として回動自在に取付けられていることを特徴としている。
【００１０】
請求項５に記載されたモニタースタンドは、請求項４記載のモニタースタンドにおいて、前記基部と前記基板の間には摩擦部材が設けられていることを特徴としている。
【００１１】
請求項６に記載されたモニタースタンドは、
被取付け面に取付けられる基部と、前記基部に回動可能に取付けられてモニターを保持する保持部とを備えたモニタースタンドにおいて、
前記基部は上面に凹部が設けられた箱型の本体を有しており、
前記基部の前面と前記保持部の間には所望の回動角度を保持しうる摩擦が生じるように構成された回動軸が水平に配置されており、
前記保持部を前記凹部内に収納することによって前記保持部に保持されたモニターが前記本体の上面に水平に倒置されることを特徴としている。
【発明の効果】
【００１２】
請求項１に記載されたモニタースタンドによれば、被取付け面に取付けられた基部に対し、モニターが取付けられた保持部を所望の回動角度で保持でき、必要に応じてロック機構でロックできるので、ダッシュボード等に取付けたモニターを視界確保のために必要に応じて角度を調整できる等、モニターの設置角度の自由度が高いという効果がある。
【００１３】
請求項２に記載されたモニタースタンドによれば、請求項１記載のモニタースタンドによる効果に加え、ロック機構が、基部と保持部の案内孔内にロック部材を設け、案内孔の内周面とロック部材の機械的係合によって保持部の回動をより確実に固定できるという効果がある。
【００１４】
請求項３に記載されたモニタースタンドによれば、請求項２記載のモニタースタンドによる効果に加え、保持部を凹部内に収納すれば、保持部に保持されたモニターを本体の上面に水平に倒置することができ、モニターの設置角度の自由度がさらに高まるという効果がある。
【００１５】
請求項４に記載されたモニタースタンドによれば、請求項１乃至３記載のモニタースタンドによる効果に加え、基部を被取付け面に対して垂直な回転軸を中心として回動させることができるので、モニターの設置角度の自由度がさらに一層高まるという効果がある。
【００１６】
請求項５に記載されたモニタースタンドによれば、請求項４記載のモニタースタンドによる効果に加え、垂直な回転軸を中心とした基部の回動操作を適切な摩擦抵抗で行なうことができるという効果がある。
【００１７】
請求項６に記載されたモニタースタンドによれば、保持部を凹部内に収納すれば、保持部に保持されたモニターを本体の上面に水平に倒置することができ、モニターの設置角度の自由度が高まるという効果がある。
【発明を実施するための最良の形態】
【００１８】
以下、本発明を実施するために特許出願人が出願時点で最良と思う本発明の実施の形態を図１〜図３を参照して説明する。
【００１９】
本例のモニタースタンド１は、ダッシュボード等の被取付け面２に取付けられる基部３と、基部３に回動可能に取付けられてモニターを保持する保持部４とを備えている。
基部３は扁平箱体の本体５を有しており、本体５の上面には凹部６が設けられている。本体５の下面には、ゴム等の高摩擦材料からなるシート状の摩擦部材７を介して基板８が固定手段としてのねじ９によって取付けられている。基板８は、本体５より平面視で大きく、その下面には被取付け面２（ダッシュボード）に固定するための粘着手段１０が設けられている。従って、基板８を被取付け面２（ダッシュボード）に取付けた状態では、ねじ９を垂直軸として本体５を回転させ、その回転方向の位置を適宜に調整することができる。
【００２０】
基部３の本体５の前面側には、モニター１００の保持部４が回動軸１１及びロック機構２０を介して取付けられている。
保持部４は、モニター１００の背面側に着脱可能に取付けられるガイド部材１２と、このガイド部材１２が着脱可能に挿入固定される案内溝１３と案内溝１３に挿入されたガイド部材１２を固定するストッパー１４が設けられた回動部１５とを有している。従って、モニター１００の裏面にガイド部材１２を固定し、このガイド部材１２を回動部１５の案内溝１３内に挿入すればストッパー１４が機能してガイド部材１２は回動部１５に固定され、モニター１００が回動部１５と一体になる。
【００２１】
保持部４と基部３を連結する回動軸１１は、基部３の本体５の前面に基部３と保持部４の双方を貫通するように水平に配置されており、基部３と保持部４の間に所望の回動角度を保持して姿勢が固定されるような摩擦が生じるように構成されている。
【００２２】
すなわち、基部３の前面側の一部と保持部４の基端側の一部は入れ子状に係合しており、当該部分を回動軸１１ (本例ではボルト）が軸受け２１を介して貫通し、ナット２２によって適当な力で締め付けられており、相対的に回動する基部３と保持部４の間に所望の摩擦が生じて保持部４の傾斜角度を手作業で任意に設定できるように調整されている。
【００２３】
保持部４と基部３を連結する回動軸１１の部分には、保持部４の傾斜角度を適宜に設定した状態で固定するロック機構２０が設けられている。
このロック機構２０においては、まず前記回動軸１１と軸芯を一致させて、基部３と保持部４の係合部分に連続して円形の案内孔２３が形成されている。この案内孔２３の内周面には、回動軸１１の軸芯と平行な係合構造である多数の溝が形成されている。また、案内孔２３の内部には、略円筒状のロック部材２４が設けられている。ロック部材２４の外周面には、前記溝と係合する係合構造である多数の凸条（キー）が形成されており、前記溝と軸方向に摺動可能に係合するようになっている。
【００２４】
また、前記ロック部材２４と前記回動軸１１のナット２２との間には、付勢手段としてのコイルばね２５が設けられており、前記ロック部材２４を外方の基部３に向けて押圧し、ロック部材２４にその他の外力が加わらない限り、ロック部材２４を基部３の案内孔２３内に押込んでロック部材２４が基部３の案内孔２３の溝だけに係合するように構成されている。
【００２５】
前記基部３において、外部に貫通した案内孔２３の開口には、揺動可能な操作部であるロックレバー２６が垂直軸２７を中心として設けられている。垂直軸２７に近いロックレバー２６の基端には突起部２８があり、この突起部２８が前記ロック部材２４に接触している。
【００２６】
従って、図中実線で示す状態ではロックレバー２６は外方に逃げた位置にあるので、ロック部材２４もコイルばね２５によって外方の基部３の案内孔２３内にあり、保持部４とは係合関係にない。従って、基部３に対して保持部４は回動可能である。
【００２７】
しかし、図中想像線で示すようにロックレバー２６を基部３の側面に沿う状態となるように操作すると、ロックレバー２６の基端の突起部２８がロック部材２４を内方に押し、ロック部材２４はコイルばね２５の付勢力に抗して基部３及び保持部４の各案内孔２３内に入り、基部３と保持部４を互いに固定する。
【００２８】
本例の使用方法乃至作用を説明する。
保持部４のガイド部材１２をモニター１００の裏面に取付け、自動車のダッシュボードの所望位置に基部３の基板８を貼り付けて固定し、前記ガイド部材１２を保持部４の回動部１５に挿入固定する。
【００２９】
モニター１００の角度調整、姿勢調整においては、ダッシュボードに固定された基板８に対して基部３の全体を垂直軸２７を中心に回動してモニター１００の向きを調整することができる。また、水平な回動軸１１を中心にモニター１００の角度を調整することができる。回動軸１１を中心とした保持部４の回動に際しては適当な抵抗力が生じるように調整されているので、運転者は片手による簡単な操作でモニター１００の傾斜角度を調整できる。調整後、ロックレバー２６をロック方向に設定すれば、ロック部材２４を介して基部３と保持部４が互いに機械的な構造で固定されるので、モニター１００に手が触れても調整した角度が変わってしまうことはない。
【００３０】
例えば、運転手の背が低く、運転席に着席した場合に前方の視界に不安がある場合は、ダッシュボード上のモニター１００をダッシュボード上に平らに倒置したい場合がある。その場合には、ロック機構２０を解除してモニター１００を水平な状態まで倒すことができる。この場合、モニター１００の裏面に取り付けられたガイド部材１２はモニター１００の裏面から後方に突出した状態にあるが、本例では基体の本体５の上面に凹部６があり、ガイド部材１２を収納することができるので、モニター１００は基部３の本体５上に水平に倒置される。また、本装置の基部３自体も薄型であるから、薄い液晶等のモニター１００をその上に平置きしても、全体の高さは非常に小さく、視界の妨げになることはない。これによって、ダッシュボード上の視界は極めて良好になり、運転の一層の安全が確保される。
【図面の簡単な説明】
【００３１】
【図１】本発明の実施の形態であるモニタースタンド１の側面図である。
【図２】本発明の実施の形態であるモニタースタンド１の平面図である。
【図３】本発明の実施の形態であるモニタースタンド１の一部を断面とした正面図である。
【符号の説明】
【００３２】
１…モニタースタンド
２…被取付け面 (ダッシュボード）
３…基部
４…保持部
５…本体
６…凹部
７…摩擦材料
９…垂直な回転軸としてのねじ
１１…回転軸
２０…ロック機構
２３…案内孔
２４…ロック部材
２５…付勢手段としてのコイルばね
２６…操作部としてのロックレバー
１００…モニター
【図１】
2005075175.tif 000003
【図２】
2005075175.tif 000004
【図３】
2005075175.tif 000005